(57)【要約】【課題】本発明は、故障したハードディスクを容易に発見し、且つハードディスク基板から取り出すことができるサーバシステム及びそのハードディスクエジェクタ装置を提供することを目的とする。【解決手段】本発明のサーバシステムは、ハードディスク基板と、複数のハードディスクと、ハードディスク基板に設置されたハードディスクコネクタと、を備え、複数のハードディスクは、ハードディスクコネクタに挿し込まれて、ハードディスク基板と電気的に接続されるサーバシステムにおいて、サーバシステムは、複数のハードディスク及び複数のハードディスクエジェクタ装置を備え、ハードディスクエジェクタ装置は、ハードディスクコネクタに挿し込まれたハードディスクの状態を検査して、故障しているかどうかを判断し、故障したハードディスクを発見した場合、この故障しているハードディスクを突出させる。【選択図】図２
2013200869.tif 000002
【特許請求の範囲】
【請求項１】
サーバシステムに使用され、ハードディスク基板と、複数のハードディスクと、前記ハードディスクが固定された複数のハードディスク支持部材と、を備えるハードディスクエジェクタ装置において、
前記ハードディスクエジェクタ装置は、ハードディスク検査モジュールと、電流供給モジュールと、第一電磁石と、第二電磁石と、を備え、前記複数のハードディスク検査モジュールは、前記ハードディスクの状態を検査して故障しているかどうかを判断し、故障しているハードディスクを発見した場合、前記ハードディスク検査モジュールは、制御信号を送信し、前記ハードディスク検査モジュールと接続された前記電流供給モジュールは、制御信号を受信し、且つ対応する制御電流を供給し、前記第一電磁石は、前記ハードディスク基板に設置され、前記第二電磁石は、前記ハードディスク支持部材に設置され、前記第一電磁石と前記第二電磁石とは、対応する前記電流供給モジュールとそれぞれ電気的に接続されて制御電流を受け、この制御電流による駆動によって前記第一電磁石と前記第二電磁石との対向する表面が同じ磁極となることで磁場が発生し、前記ハードディスクとハードディスク支持部材とは、前記ハードディスク基板から分離されることを特徴とするハードディスクエジェクタ装置。
【請求項２】
前記ハードディスク基板には、複数のハードディスクコネクタが設置され、前記ハードディスク検査モジュールは、前記ハードディスクコネクタと接続されて、前記ハードディスクコネクタによって、前記ハードディスクの状態を検査することを特徴とする請求項１に記載のハードディスクエジェクタ装置。
【請求項３】
前記第一電磁石及び前記第二電磁石の数は、それぞれ一つであり、前記第一電磁石は、前記ハードディスクコネクタの一側に設置され、前記第二電磁石は、前記ハードディスク支持部材上に設置され、且つ前記第一電磁石と対向するように設置されることを特徴とする請求項２に記載のハードディスクエジェクタ装置。
【請求項４】
前記第一電磁石及び前記第二電磁石の数は、それぞれ二つであり、前記二つの第一電磁石は、前記ハードディスクコネクタの両側に設置され、前記二つの第二電磁石は、前記ハードディスク支持部材の両側に設置され、且つそれぞれ前記二つの第一電磁石と対向するように設置されることを特徴とする請求項２に記載のハードディスクエジェクタ装置。
【請求項５】
ハードディスク基板と、複数のハードディスクと、前記ハードディスク基板に設置されたハードディスクコネクタと、を備え、前記複数のハードディスクは、対応する前記ハードディスクコネクタに挿し込まれて、前記ハードディスク基板と電気的に接続されるサーバシステムにおいて、前記サーバシステムは、前記複数のハードディスクに対応する複数のハードディスクエジェクタ装置を備え、前記ハードディスクエジェクタ装置は、前記ハードディスクコネクタに挿し込まれたハードディスクの状態を検査して、故障しているかどうかを判断し、故障しているハードディスクを発見した場合、この故障しているハードディスクを突出させることを特徴とするサーバシステム。
【請求項６】
前記サーバシステムは、前記複数のハードディスクと対応する複数のハードディスク支持部材を備え、前記複数のハードディスク支持部材は、前記ハードディスクを支持、且つ固定することに用いられることを特徴とする請求項５に記載のサーバシステム。
【請求項７】
前記ハードディスクエジェクタ装置は、ハードディスク検査モジュールを備え、前記ハードディスク検査モジュールは、前記ハードディスク基板に設置され、且つ対応する前記ハードディスクコネクタと電気的に接続されて、前記ハードディスクコネクタに挿し込まれたハードディスクの状態を検査し、そのハードディスクが故障しているかどうかを判断することを特徴とする請求項６に記載のサーバシステム。
【請求項８】
前記ハードディスクエジェクタ装置は、電流供給モジュールと、第一電磁石と、第二電磁石と、を備え、前記電流供給モジュールは、前記ハードディスク基板に設置され、且つ対応する前記ハードディスク検査モジュールと接続され、前記第一電磁石は前記ハードディスク基板に設置され、前記第二電磁石は、前記ハードディスク支持部材に設置され、前記第一電磁石及び前記第二電磁石は、前記電流供給モジュールと電気的に接続され、前記複数のハードディスクのうちの一つ、或いは複数のハードディスクが故障している場合、その故障しているハードディスクと対応する前記ハードディスク検査モジュールは、対応する電流供給モジュールに制御信号を送信して、対応する電流供給モジュールを駆動させ、前記電流供給モジュールは、故障しているハードディスクと対応する前記第一電磁石及び前記第二電磁石に制御電流を供給し、この制御電流を受けると、前記第一電磁石と前記第二電磁石とが対向する表面は同じ磁極となり、互いに反発して、前記故障したハードディスク及び対応する前記ハードディスク支持部材は、対応する前記ハードディスクコネクタから分離されることを特徴とする請求項７に記載のサーバシステム。
【発明の詳細な説明】
【技術分野】
【０００１】
本発明は、サーバシステム及びそのハードディスクエジェクタ装置に関するものである。
【背景技術】
【０００２】
サーバシステムにおいて、ハードディスク基板に設置されたハードディスクは、長時間の使用により故障することが多い。従って、サーバシステムを正常に稼動させるためには、故障したハードディスクを迅速にハードディスク基板から取り外して、新しいハードディスクに交換しなければならない。
【０００３】
従来のサーバシステムは、複数のハードディスクを備える。例えば、１Ｕ（このＵは、サーバのハウジングの高さの単位であり、１Ｕ＝１．７５インチ（４４．４５ｍｍ））のハードディスク基板には、最多で、八つのハードディスクを設置することができる。また、２Ｕのハードディスク基板には、最多で、十二のハードディスクを設置することができる。しかし、これら複数のハードディスクの中から、故障したハードディスクを発見して、新しいハードディスクに交換したい場合、枚数が多いので発見や故障の確認に時間がかかる。また、ハードディスクを容易にハードディスク基板から取り外すことができないため、操作に不便である。
【発明の概要】
【発明が解決しようとする課題】
【０００４】
以上の問題点に鑑みて、本発明は、故障したハードディスクを容易に発見し、且つハードディスク基板から取り出すことができるサーバシステム及びそのハードディスクエジェクタ装置を提供することを目的とする。
【課題を解決するための手段】
【０００５】
本発明のハードディスクエジェクタ装置は、ハードディスク基板と、複数のハードディスクと、前記ハードディスクが固定された複数のハードディスク支持部材と、を備えるサーバシステムに使用され、前記ハードディスクエジェクタ装置は、ハードディスク検査モジュールと、電流供給モジュールと、第一電磁石と、第二電磁石と、を備え、前記複数のハードディスク検査モジュールは、前記ハードディスクの状態を検査して故障しているかどうかを判断し、故障しているハードディスクを発見した場合、前記ハードディスク検査モジュールは、制御信号を送信し、前記ハードディスク検査モジュールと接続された前記電流供給モジュールは、制御信号を受信し、且つ対応する制御電流を供給し、前記第一電磁石は、ハードディスク基板に設置され、前記第二電磁石設置は、前記ハードディスク支持部材に設置され、前記第一電磁石と前記第二電磁石とは、対応する前記電流供給モジュールとそれぞれ電気的に接続されて制御電流を受け、この制御電流による駆動によって前記第一電磁石と前記第二電磁石との対向する表面が同じ磁極となることで磁場が発生し、前記ハードディスクとハードディスク支持部材とは、前記ハードディスク基板から分離される。
【０００６】
また、本発明のサーバシステムは、ハードディスク基板と、複数のハードディスクと、前記ハードディスク基板に設置されたハードディスクコネクタと、を備え、前記複数のハードディスクは、対応する前記ハードディスクコネクタに挿し込まれて、前記ハードディスク基板と電気的に接続され、前記サーバシステムは、複数のハードディスクと対応する複数のハードディスクエジェクタ装置を備え、前記ハードディスクエジェクタ装置は、前記ハードディスクコネクタに挿し込まれたハードディスクの状態を検査して、故障しているかどうかを判断し、故障しているハードディスクを発見した場合、この故障しているハードディスクを突出させる。
【発明の効果】
【０００７】
本発明のサーバシステムは、複数のハードディスクエジェクタ装置によって、それぞれに対応するハードディスクが故障しているかどうかを検査する。複数のハードディスクのうちの一つ、或いは複数が故障している場合、その故障しているハードディスクと対応するハードディスク支持部材を突出させることによって、故障したハードディスクを容易に発見できるので、操作に便利である。
【図面の簡単な説明】
【０００８】
【図１】本発明に係るサーバシステムの構造を表す図である。
【図２】図１に示したサーバシステムの斜視図である。
【発明を実施するための形態】
【０００９】
以下、図面に基づいて、本発明に係るサーバシステム及びそのハードディスクエジェクタ装置について詳細に説明する。
【００１０】
図１に示したように、本発明に係るサーバシステム１００は、ハードディスク基板１０と、複数のハードディスク２０と、該複数のハードディスク２０にそれぞれ対応する複数のハードディスク支持部材３０と、複数のハードディスク２０にそれぞれ対応する複数のハードディスクエジェクタ装置４０と、を備える。複数のハードディスク支持部材３０は、ハードディスク２０を支持し、且つ固定するために用いられる。ハードディスク基板１０上には、複数のハードディスクコネクタ１１が設置されている。複数のハードディスク２０は、それぞれ対応するハードディスクコネクタ１１に挿し込まれ、ハードディスク基板１０と電気的に接続される。ハードディスクエジェクタ装置４０は、対応するハードディスクコネクタ１１に挿し込まれたハードディスク２０が、故障しているかどうか（例えば、損傷しているかどうか）を検査する。ハードディスクエジェクタ装置４０が、複数のハードディスク２０のうちの一つ、或いは複数の損傷したハードディスク２０を発見した場合、この損傷したハードディスク２０をハードディスク基板１０から突出させる。
【００１１】
図２に示したように、各ハードディスクエジェクタ装置４０は、ハードディスク検査モジュール４１と、電流供給モジュール４３と、一つの第一電磁石４５と、一つの第二電磁石４７と、を備える。複数のハードディスク検査モジュール４１は、ハードディスク基板１０上にそれぞれ設置され、且つ各対応するハードディスクコネクタ１１と電気的に接続される。複数のハードディスク検査モジュール４１は、それぞれ対応するハードディスクコネクタ１１に挿し込まれたハードディスク２０の状態を検査し、且つハードディスク検査モジュール４１と対応するハードディスク２０が故障しているかどうかを判断する。複数のハードディスク検査モジュール４１のうちの一つ、或いは複数のハードディスク検査モジュール４１が、対応するハードディスク２０が故障していると判断した場合、その故障したハードディスク２０と対応するハードディスク検査モジュール４１は、制御信号を送信する。しかしこれとは逆に、複数のハードディスク検査モジュール４１のうちの一つ、或いは複数のハードディスク検査モジュール４１が、対応するハードディスク２０が故障していない（つまり正常に作動している）と判断した場合、ハードディスク検査モジュール４１は、如何なる信号も送信しない。
【００１２】
複数の電流供給モジュール４３は、ハードディスク基板１０上にそれぞれ設置され、且つ各対応するハードディスク検査モジュール４１と接続される。複数のハードディスク検査モジュール４１のうちの一つ、或いは複数のハードディスク検査モジュール４１が、制御信号を送信した際、この制御信号を送信したハードディスク検査モジュール４１と対応する電流供給モジュール４３は制御信号を受信し、且つ制御信号の駆動によって、対応する制御電流を供給する。この時、制御信号を受信しなかった電流供給モジュール４３は、制御電流を供給しない。
【００１３】
本発明の実施形態において、各ハードディスクエジェクタ装置４０の第一電磁石４５及び第二電磁石４７の数は、それぞれ一つであり、第一電磁石４５は、対応するハードディスクコネクタ１１の一側に設置される。第二電磁石４７は、対応するハードディスク支持部材３０の底面に設置され、且つ対応する第一電磁石４５と対向するように設置される。第一電磁石４５と第二電磁石４７とは、それぞれ対応する電流供給モジュール４３と電気的に接続される。複数の電流供給モジュール４３のうちの一つ、或いは複数の電流供給モジュール４３が制御電流を供給すると、対応する第一電磁石４５及び第二電磁石４７は、それぞれ制御電流を受け、この制御電流による駆動によって磁場が発生する。なお、第一電磁石４５と第二電磁石４７とが対向する表面は、同じ磁極（例えば、Ｎ極）となる。これにより、第一電磁石４５と第二電磁石４７との間に反発力が発生して、故障したハードディスク２０と対応するハードディスク支持部材３０とは、対応するハードディスクコネクタ１１から分離されて、故障したハードディスク２０と、対応するハードディスク支持部材３０と、を突出させる。これにより、故障したハードディスク２０を容易に取り出すことができる。制御電流を受けていない第一電磁石４５と第二電磁石４７との間には、反発力は発生しないので、第一電磁石４５と第二電磁石４７とに対応するハードディスク２０は、対応するハードディスクコネクタ１１に挿し込まれたまま、引き続き正常に作動する。
【００１４】
本発明のサーバシステム１００を使用する際、先ず、ハードディスク２０を、対応するハードディスク支持部材３０にそれぞれ設置し、且つ対応するハードディスクコネクタ１１に挿し込んで、ハードディスク基板１０と電気的に接続して作動させる。次いで、ハードディスク検査モジュール４１は、対応するハードディスクコネクタ１１によって、対応するハードディスク２０の状態を検査する。複数のハードディスク２０のうちの一つ、或いは複数が故障している場合、その故障したハードディスク２０と対応するハードディスク検査モジュール４１は、対応する電流供給モジュール４３に制御信号を送信して、対応する電流供給モジュール４３を駆動させ、この電流供給モジュール４３は、故障したハードディスク２０と対応する第一電磁石４５及び第二電磁石４７に制御電流を供給する。故障したハードディスク２０と対応する第一電磁石４５及び第二電磁石４７が、制御電流を受けると、第一電磁石４５と第二電磁石４７とが対向する表面には磁場が発生して互いに反発する。これにより、故障したハードディスク２０及びこれに対応するハードディスク支持部材３０は、対応するハードディスクコネクタ１１から分離されて、故障したハードディスク２０とハードディスク支持部材３０とを突出させる。従って、故障したハードディスク２０を容易に取り出すことができる。
【００１５】
他の実施形態において、各ハードディスクエジェクタ装置４０の第一電磁石４５及び第二電磁石４７の数は、それぞれ二つである。具体的には、二つの第一電磁石４５は、対応するハードディスクコネクタ１１における両側に設置され、二つの第二電磁石４７は、対応するハードディスク支持部材３０の両側に設置され、且つハードディスクコネクタ１１における両側に設置された第一電磁石４５と対向するように設置される。これにより、あるハードディスク２０が故障した際、故障したハードディスク２０に対応するハードディスク支持部材３０の両側には、それぞれ磁場が発生して互いに反発し、ハードディスク２０及びハードディスク支持部材３０が受ける力の均一性を高めて、故障したハードディスク２０を、安定的に突出させることができる。
【００１６】
他の実施形態において、異なる種類のハードディスクはサイズ及び重量が異なるため、ハードディスク２０を突出させる際に必要となる反発力も異なる。従って、実際に使用する際、異なる電磁石を用いるか或いはこの電磁石を通る電流量を調節して、異なる反発力を与えて、受ける力の均一性を維持することができる。
【００１７】
本発明のサーバシステム１００は、複数のハードディスクエジェクタ装置４０によって、それぞれに対応するハードディスク２０が故障しているかどうかを検査する。複数のハードディスク２０のうちの一つ、或いは複数が故障している場合、その故障しているハードディスク２０と対応するハードディスク支持部材３０を突出させることによって、故障したハードディスクを容易に発見できるので、操作に便利である。
【符号の説明】
【００１８】
１００  サーバシステム
１０  ハードディスク基板
１１  ハードディスクコネクタ
２０  ハードディスク
３０  ハードディスク支持部材
４０  ハードディスクエジェクタ装置
４１  ハードディスク検査モジュール
４３  電流供給モジュール
４５  第一電磁石
４７  第二電磁石
【図１】
2013200869.tif 000003
【図２】
2013200869.tif 000004